(57)【要約】【課題】股にかゆみ、かぶれ、ただれ、湿しん、下着との擦れ、皮膚の乾燥等が生じた場合は、皮膚科で塗布材を塗った後、患部をガーゼで被い、下着との擦れを防ぐようにしなければならないが、特にかゆみが強く発生する場合は大変困難である。その都度ガーゼを用意しなければならず何とかしなければならない課題である２重ガーゼの陰部を被う布で陰部を被うことが出来る股用Ｙ字型パットを提供する 。【解決手段】股用Ｙ字型パット全体の構造は、正面から見て布を使用したＹの字を逆さまにした形状にして、股用Ｙ字型パット本体の上部に横長長方形の止着材を結合させて、また２重ガーゼの陰部を被う布を背面側との接する部分に横長長方形の止着材で密着させた事を特徴とする。【選択図】図１
2018138086.tif 000002
【特許請求の範囲】
【請求項１】
本発明の全体の構造は、正面から見て布を使用したＹの字を逆さまにした形状にして、股用Ｙ字型パット本体（１）の上部に横長長方形の、スチレン系エラストマー合成樹脂を使用した止着材（３）を貼り付けて、下着側と密着し易いようにして、背面側には、２重ガーゼまたは不織布の陰部を被う布（２）を設け、股用Ｙ字型パット本体（１）と接する箇所には止着材（３−１）を貼り付けたことを特徴とする股用Ｙ字型パット。
【請求項２】
股用Ｙ字型パット本体（１）の正面上部にあるスチレン系エラストマー合成樹脂を使用した止着材（３）と、上部に横長長方形の止着材（３−１）を使用しているが、両面テープに変えて使用することが出来る請求項１記載の股用Ｙ字型パット。
【発明の詳細な説明】
【技術分野】
【０００１】
本発明は、かゆみのある股に薬を塗ったあとで、下着と皮膚の中間に擦れを防止して、且つ、薬が下着に直接つかないようにした股用Ｙ字型パットに関する。
【背景技術】
【０００２】
股の皮膚にかゆみが生じた場合、皮膚科で薬を塗って頂いたあとで、下着に薬がつかないように又、患部をガーゼで被い、且つ下着と離れることがないようにした構造のものは、他に見当たらない。
［特許文献１］特開２００８-１４２５５６号公報（使い捨てパンツ型おむつ）
［特許文献２］特表２００７-５３３３３４号公報（股用人工装具）
［特許文献３］実登３０６０３３１号公報（アトピー性皮膚炎患者等の手掻き動作防止用バンド）が開示されているが、構造及び技術的な内容がことなる。
【先行技術文献】
【特許文献】
【０００３】
【特許文献１】特開２００８-１４２５５６号公報
【特許文献２】特表２００７-５３３３３４号公報
【特許文献３】実登３０６０３３１号公報
【発明の概要】
【発明が解決しようとする課題】
【０００４】
股にかゆみ、かぶれ、ただれ、湿しん、皮膚の乾燥等が生じた場合は、皮膚科で塗布材を塗った後、患部をガーゼで被い、下着との擦れを防ぐようにしなければならないが、特にかゆみが強く発生する場合は大変困難である。
その都度ガーゼを用意しても、ガーゼと下着との関係が難しく、何とかしなければならない課題である
【課題を解決するための手段】
【０００５】
課題を解決するために本発明は，以下の構成とした。
本発明の全体の構造は、正面から見て布を使用したＹの字を逆さまにした形状にして、股用Ｙ字型パット本体（１）の上部に横長長方形の止着材（３）を貼り付けて、背面側の、２重ガーゼまたは不織布の陰部を被う布（２）を密着させる構造にした。
【０００６】
止着材（３）は、スチレン系エラストマー合成樹脂を使用して、下着側に着脱可能に密着させる。
また、正面から見て、股用Ｙ字型パット本体（１）と背面の２重ガーゼまたは不織布の陰部を被う布（２）との接する部分には、上部に横長長方形の止着材（３−１）を貼り付けた。
【０００７】
本発明の大きな特徴として、股用Ｙ字型パット本体（１）の背面に設置した、２重ガーゼまたは不織布の陰部を被う布（２）に薬・体内から出てくる血液・膿などで汚れたら取り外して、交換することが容易に出来る。
【発明の効果】
【０００８】
１．塗布材を塗った後で、下着と股用Ｙ字型パット本体は、ずれが少なくなる。
２．塗布材を塗った薬は、直接下着に接することが少なくなる。
３．ワンタッチで取り替えが可能になり、下着の汚れも少なくなる。
４．小さく畳んで持ち運び可能である。
５．股用Ｙ字型パット本体（１）の背面に設置した２重ガーゼの陰部を被う布（２）に薬・体内から出てくる血液・膿などで汚れたら取り外して、交換することが容易に出来る。
【図面の簡単な説明】
【０００９】
【図１】股用Ｙ字型パット正面図
【図２】股用Ｙ字型パット背面図
【図３】２重ガーゼの陰部を被う布正面図
【図４】股用Ｙ字型パットの分解説明図
【発明を実施するための形態】
【００１０】
課題を解決するために本発明は，以下の構成とした。
本発明の全体の構造は、正面から見て布を使用したＹの字を逆さまにした形状にして、股用Ｙ字型パット本体（１）の上部に横長長方形の止着材（３）を結合させて、また背面側は、２重ガーゼの陰部を被う布（２）を使用した。
塗布材を塗った後で、下着と股用Ｙ字型パット本体（１）は、ずれないようにした。
また、塗った薬は、直接下着に接することが少なくなり、下着の汚れも少なくなる。
【００１１】
止着材（３）は、スチレン系エラストマー合成樹脂を使用して、下着側に着脱可能に密着させる。
また、正面から見て、股用Ｙ字型パット本体（１）と背面の２重ガーゼの陰部を被う布（２）との接する部分は、上部に横長長方形の止着材（３−１）で密着させた。
股用Ｙ字型パット本体（１）の正面上部にあるステンレス系エラストマー合成樹脂を使用した止着材（３）と、正面と背面の中間は、上部に横長長方形の止着材（３−１）を使用しているが、両面テープに変えて使用することが出来る。
【００１２】
本発明の大きな特徴として、股用Ｙ字型パット本体（１）の背面に設置した２重ガーゼの陰部を被う布（２）に薬・体内から出てくる血液・膿などで汚れたら取り外して、交換することが容易に出来る構造した。
患者の立場として、重要なことは患部を清潔に保つために汚れた２重ガーゼの陰部を被う布（２）を交換し易い構造にする事が極めて重要と考える。
患部を清潔に保つために汚れたまま、不衛生にして長時間放置することは、健康を維持するためには極めて危険なものであり、本発明はこれらの問題を解決するために必要不可欠なものである。
【符号の説明】
【００１３】
１．     股用Ｙ字型パット本体
２．     ２重ガーゼまたは不織布の陰部を被う布
３．     下着側止着材
３−１． 正面と背面の布を密着させる止着材
【図１】
2018138086.tif 000003
【図２】
2018138086.tif 000004
【図３】
2018138086.tif 000005
【図４】
2018138086.tif 000006
【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
正面から見て布を使用したＹの字を逆さまにした形状にして、股用Ｙ字型パッド本体（１）の上部に横長長方形の、スチレン系エラストマー合成樹脂を使用した下着側止着材（３）を貼り付けて、下着側と密着し易いようにして、背面側には、２重ガーゼまたは不織布の陰部を被う布（２）を設け、前記陰部を被う布（２）は、股用Ｙ字型パッド本体（１）と接する箇所には正面と背面の布を密着させる止着材（３−１）を貼り付けたことを特徴とする股用Ｙ字型パッド。
【請求項２】
股用Ｙ字型パッド本体（１）の正面上部にあるスチレン系エラストマー合成樹脂を使用
した下着側止着材（３）と、上部に横長長方形の正面と背面の布を密着させる止着材
（３−１）を使用しているが、両面テープに変えて使用することが出来る請求項１記載
の股用Ｙ字型パッド。
【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
正面から見て布を使用したＹの字を逆さまにした形状にして、股用Ｙ字型パッド本体（１）の上部に横長長方形の、スチレン系エラストマー合成樹脂を使用した下着側止着材（３）を貼り付けて、下着側と密着し易いようにして、背面側には、２重ガーゼまたは不織布の陰部を被う布（２）を設け、前記陰部を被う布（２）は、股用Ｙ字型パッド本体（１）と接する箇所には、前記股用Ｙ字型パッド本体（１）と前記陰部を被う布（２）を密着させる止着材（３−１）を貼り付けたことを特徴とする股用Ｙ字型パッド。
【請求項２】
股用Ｙ字型パッド本体（１）の正面上部にあるスチレン系エラストマー合成樹脂を使用
した下着側止着材（３）と、上部に横長長方形の前記股用Ｙ字型パッド本体（１）と前記陰部を被う布（２）を密着させる止着材（３−１）を使用しているが、両面テープに変えて使用することが出来る請求項１記載の股用Ｙ字型パッド。
【手続補正２】
【補正対象書類名】明細書
【補正対象項目名】０００４
【補正方法】変更
【補正の内容】
【０００４】
股にかゆみ、かぶれ、ただれ、湿しん、皮膚の乾燥等が生じた場合は、皮膚科で塗布
剤を塗った後、患部をガーゼで被い、下着との擦れを防ぐようにしなければならない
が、特にかゆみが強く発生する場合は大変困難である。
その都度ガーゼを用意しても、ガーゼと下着との関係が難しく、何とかしなければな
らない課題である
【手続補正３】
【補正対象書類名】明細書
【補正対象項目名】０００８
【補正方法】変更
【補正の内容】
【０００８】
１．塗布剤を塗った後で、下着と股用Ｙ字型パッド本体は、ずれが少なくなる。
２．塗布剤を塗った薬は、直接下着に接することが少なくなる。
３．ワンタッチで取り替えが可能になり、下着の汚れも少なくなる。
４．小さく畳んで持ち運び可能である。
５．股用Ｙ字型パッド本体（１）の背面に設置した２重ガーゼの陰部を被う布（２）
に薬・体内から出てくる血液・膿などで汚れたら取り外して、交換することが
容易に出来る。
【手続補正４】
【補正対象書類名】明細書
【補正対象項目名】００１０
【補正方法】変更
【補正の内容】
【００１０】
課題を解決するために本発明は，以下の構成とした。
本発明の全体の構造は、正面から見て布を使用したＹの字を逆さまにした形状にして、
股用Ｙ字型パッド本体（１）の上部に横長長方形の止着材（３）を結合させて、また
背面側は、２重ガーゼの陰部を被う布（２）を使用した。
塗布剤を塗った後で、下着と股用Ｙ字型パッド本体（１）は、ずれないようにした。
また、塗った薬は、直接下着に接することが少なくなり、下着の汚れも少なくなる。
【手続補正５】
【補正対象書類名】明細書
【補正対象項目名】００１１
【補正方法】変更
【補正の内容】
【００１１】
止着材（３）は、スチレン系エラストマー合成樹脂を使用して、下着側に着脱可能
に密着させる。
また、正面から見て、股用Ｙ字型パッド本体（１）と背面の２重ガーゼの陰部を被う
布（２）との接する部分は、上部に横長長方形の止着材（３−１）で密着させた。
股用Ｙ字型パッド本体（１）の正面上部にあるスチレン系エラストマー合成樹脂を
使用した止着材（３）と、正面と背面の中間は、上部に横長長方形の止着材（３−１）
を使用しているが、両面テープに変えて使用することが出来る。